(57)【要約】【課題】携帯用パーソナルコンピュータなどに搭載されるブラシレスモータにおいて、低コギングのブラシレスモータを提供する。【解決手段】ロータマグネット６と、複数の突極を有するステータコアとステータコイル３からなるステータ４を備えるブラシレスモータにおいて、ステータ４の軸方向端面の外周側に磁性材からなるリング状部材７を少なくとも１層装着することにより、コギングトルクの低減とステータ４のティース１（突極先端部）を補強してティースにより生じる共振振動の低減をはかる。【選択図】図１
2006304494.tif 000002
【特許請求の範囲】
【請求項１】
ロータ内面に装着されたロータマグネットと、前記ロータに固着された回転軸とを有し、前記ロータマグネットの内周と対向して配置される積層された複数の突極を有するステータコアと複数相のステータコイルとを有するステータを備えるブラシレスモータにおいて、前記ステータの軸方向端面の外周側に磁性材料からなるリング状部材を少なくとも１層装着する構成のブラシレスモータ。
【請求項２】
リング状部材が厚み方向に対して薄肉部をステータコアの隣り合う突極の間に相当する位置に形成したことを特徴とする請求項１記載のブラシレスモータ。
【請求項３】
リング状部材が、径方向に対して薄肉部をステータコアの隣り合う突極の間に相当する位置に形成したことを特徴とする請求項１記載のブラシレスモータ。
【請求項４】
リング状部材が厚み方向と径方向に対して薄肉部をステータコアの隣り合う突極の間に相当する位置に形成したことを特徴とする請求項１記載のブラシレスモータ。
【発明の詳細な説明】
【技術分野】
【０００１】
本発明は最近携帯用パソコンなどに搭載されるデジタルビデオディスク（DVD）などの光ディスクを回転駆動するために使用されるブラシレスモータに関するものである。
【背景技術】
【０００２】
最近携帯用パーソナルコンピュータなどに搭載される光ディスクドライブ装置やハードディスクドライブなどには、ロータ内面に装着されたロータマグネットと、このロータマグネットの内周と対向して配置される積層されたステータコアと複数相のステータコイルとを有するステータを備える、いわゆるコア付きブラシレスモータが一般的に使用されている。上記の機器に搭載されるブラシレスモータでは薄型化、小型化、軽量化が進むとともに、コギングトルク低減、つまり動作時の振動低減及び騒音低減が要求されている。
【０００３】
しかしながら上記コア付きブラシレスモータは、隣り合うコアのティース間の隙間によりコギングトルクが生じるという構造上の課題がある。このコギングトルクの低減を求めたブラシレスモータとして、従来より上記のティース間の隙間を磁性材料で繋ぐ構成が提案されている。その一例として、分割して形成した各コアの突極のティース部を薄肉部で連結し、ステータコイルを巻装した後円環状に成型してステータ組立体を完成する構成を図５に示す。
【０００４】
図５において、ブラシレスモータはティース１間の連結部２を有し、ステータコイル３を施したステータ４部と、ロータ５内周にロータマグネット６を有する構成となっている（例えば、特許文献１参照）。
【０００５】
また、上記従来のブラシレスモータとは別に、ロータがステータの内側に配置されたいわゆるインナーロータ型のブラシレスモータにおいてコギングトルク低減を求めた構成がある。ステータコアの板厚より薄肉に形成した連結部でティース間を連結することによりコギングトルクの低減と、連結部で磁束が短絡することによる効率低下の抑制を同時に図る構成となっている（例えば、特許文献２参照）。
【特許文献１】特開２０００−２０９７９５号公報（第４頁、図１）
【特許文献２】特開２００３−８８００７号公報（第６頁、図２）
【発明の開示】
【発明が解決しようとする課題】
【０００６】
しかしながら、上記第一の従来の構成では、コア結合後の歪とコア薄肉化で生じる加工歪により磁気損失の増大を招くという課題があった。また、上記第二の従来の技術の構成においては、ステータコイルの巻線工法が特殊な方法を取る必要があり、工数が増大するという課題もあった。
【０００７】
本発明は、このような従来の課題を解決するものであり、動作時の振動及び騒音の低減を高効率で安価に実現できるブラシレスモータを提供することを目的とする。
【課題を解決するための手段】
【０００８】
上記課題を解決するために本発明は、ロータ内面に装着されたロータマグネットと、前記ロータに固着された回転軸とを有し、前記ロータマグネットの内周と対向して配置される積層された複数の突極を有するステータコアと複数相のステータコイルとを有するステータを備えるブラシレスモータにおいて、前記ステータの軸方向端面の外周側に磁性材料からなるリング状部材を少なくとも１層装着する構成としたものである。
【発明の効果】
【０００９】
請求項１記載の発明によれば、ステータに少なくとも１層の磁製材からなるリング状部材を装着することにより、コギングトルクを低減するだけでなく、ステータにおいて最も剛性の小さくなるティース部（突極先端部）の補強が出来るので、ティース部により生じる共振振動が低減できるという有利な効果が得られる。
【００１０】
また、請求項２、３、４記載の発明によれば、ティースのつなぎ部での磁束の漏れを抑えることができ、出力の低下を抑制することができる。また、リング状部材はステータコアとは独立して形成するので任意な形状、材質の選定が可能となり最適な構成に設定することが容易となる。さらに、リング状部材をステータにステータコイルを巻装した後に取り付けることが可能なので、モータ組立工法が簡便にできるという効果が得られる。
【発明を実施するための最良の形態】
【００１１】
以下本発明を実施するための最良の形態について、図面を参照して説明する。
【００１２】
（実施の形態１）
図１（ａ）、（ｂ）に本願の第１の実施の形態である、ブラシレスモータの断面図を示す。図１（ａ）、（ｂ）において、４は積層されたステータコアの各突極にステータコイル３を巻装して構成されたステータであり、５はこのステータ４の外周に対向して配設されたリング状のロータマグネット６を内周に固定したロータである。ステータ４の軸方向端面の外周側には磁性材料からなるリング状部材７が装着され、ステータコアの各ティース１間を磁気的に連結している。このリング状部材７は、溶接または接着により、ステータ４に固定される。そしてリング状部材７は、ステータコイル３を施されたステータ４に後から装着結合されるため、巻線工法は従来と同様な工法を用いることが可能である。
【００１３】
このように形成したステータ４は、外周側の各ティース１間をリング状部材７で磁気的に連結しているので、コギングトルクも少なく、また、結合されたリング状部材７の厚みをスタータコアとは独立して適切に設定できるので各ティース１間に流れる渦電流は少なくできるから損失も抑制できる。また、リング状部材７で各ティース１部を補強することで剛性を高め、ステータ４のティース１部による共振振動を低減できるという効果を奏する。
【００１４】
なお、上記実施の形態では、ステータ４の片方の端面側にしかリング状部材７を装着していないが、反対側の端面にも同様なリング状部材７を取り付けてもよい。このように、ステータ４の軸方向両端面に同等なリング状部材７を装着した場合は、ステータ４の軸方向の中心に対する軸方向上下の磁気的なバランスが均衡するので、上記した効果に加えて軸方向振動の発生を抑制できるという効果を奏する。
【００１５】
（実施の形態２）
本願の第２の実施の形態によるリング状部材の斜視図を図２に示す。リング状部材７のステータコアの隣り合う突極の間に相当する位置に厚み方向に対する薄肉部を形成した構成とすることにより、ステータコアの各ティース１間に流れる渦電流を抑制することができる。
【００１６】
（実施の形態３）
本願の第３の実施の形態によるリング状部材の斜視図を図３に示す。リング状部材７のステータコアの隣り合う突極の間に相当する位置に周方向に対する薄肉部を形成した構成とすることにより、ステータコアの各ティース間１に流れる渦電流を抑制することができる。
【００１７】
（実施の形態４）
本願の第４の実施の形態によるリング状部材の斜視図を図４に示す。リング状部材７のステータコアの隣り合う突極の間に相当する位置に厚み方向と径方向に対する薄肉部を形成した構成とすることにより、ステータコアの各ティース１間に流れる渦電流を抑制することができる。
【産業上の利用可能性】
【００１８】
本発明のブラシレスモータは、低コギング、低振動という効果を有し、携帯用パソコンなどに搭載される光ディスクやハードディスクなどを回転駆動するために使用されるブラシレスモータとして有用である。
【図面の簡単な説明】
【００１９】
【図１】（ａ）本発明の実施例１によるブラシレスモータを示す平面断面図、（ｂ）本発明の実施例１によるブラシレスモータを示す構造断面図
【図２】本発明の実施例２によるリング状磁部材の斜視図
【図３】本発明の実施例３によるリング状磁部材の斜視図
【図４】本発明の実施例４によるリング状磁部材の斜視図
【図５】従来のブラシレスモータを示す平面断面図
【符号の説明】
【００２０】
１  ティース
２  連結部
３  ステータコイル
４  ステータ
５  ロータ
６  ロータマグネット
７  リング状部材
【図１】
2006304494.tif 000003
【図２】
2006304494.tif 000004
【図３】
2006304494.tif 000005
【図４】
2006304494.tif 000006
【図５】
2006304494.tif 000007